(57)【特許請求の範囲】
【請求項１】
サービスで利用される動画コンテンツの登録を受け付ける受付部と、
前記受付部によって受け付けられた動画コンテンツと、所定の作成者が当該動画コンテンツの構成を概略化した情報である動画サマリとを対応付けて配信するサービスであって、一の動画コンテンツに対応して任意の時間範囲で区切られた複数の動画からなる動画サマリが複数存在するサービスを提供するサービス提供部と、
前記サービス提供部によって提供されたサービスが利用された利用状況に関する情報に基づいて、前記動画サマリを作成した作成者に分配する報酬を算出する算出部と、
を備えたことを特徴とするサービス提供装置。
【請求項２】
サービスで利用される動画コンテンツの登録を受け付ける受付部と、
前記受付部によって受け付けられた動画コンテンツと、所定の作成者が当該動画コンテンツの構成を概略化した情報である動画サマリとを対応付けて配信するサービスであって、一の動画コンテンツに対応付けられた動画サマリが複数存在する場合に、当該動画サマリの個数に応じた順位に基づいて動画コンテンツをユーザに提示するサービスを提供するサービス提供部と、
前記サービス提供部によって提供されたサービスが利用された利用状況に関する情報に基づいて、前記動画サマリを作成した作成者に分配する報酬を算出する算出部と、
を備えたことを特徴とするサービス提供装置。
【請求項３】
前記受付部は、
前記動画サマリを介して動画コンテンツが利用された際の報酬の設定を当該動画コンテンツの提供者から受け付け、
前記算出部は、
前記動画サマリを介して動画コンテンツが利用された場合に、前記提供者による報酬の設定に基づいて、当該動画サマリの作成者に分配する報酬を算出する、
ことを特徴とする請求項１又は２に記載のサービス提供装置。
【請求項４】
前記算出部は、
前記サービスにおいて前記動画コンテンツが利用されることで生じるサービス提供側の収益に基づいて、前記動画サマリを作成した作成者に分配する報酬を算出する、
ことを特徴とする請求項１又は２に記載のサービス提供装置。
【請求項５】
前記サービス提供部によって提供されるサービスにおいて、前記所定の作成者が動画サマリを作成するためのＵＩ（ユーザインターフェイス）を提供するＵＩ提供部、
をさらに備え、
前記サービス提供部は、
前記ＵＩ提供部によって提供されたＵＩを利用して作成された動画サマリを配信するサービスを提供する、
ことを特徴とする請求項１〜４のいずれか一つに記載のサービス提供装置。
【請求項６】
前記ＵＩ提供部は、
前記動画コンテンツにおける時系列上の範囲の指定を受け付けることで、当該動画コンテンツにおける任意の再生開始点を付与するとともに、前記時系列上の範囲における動画コンテンツを任意に説明する文言の指定を受け付けるＵＩを提供する、
ことを特徴とする請求項５に記載のサービス提供装置。
【請求項７】
前記受付部は、
前記サービス提供部によって提供されるサービスとは異なる外部サービスで利用されている動画コンテンツのリンクの指定によって、当該動画コンテンツの登録を受け付け、
前記ＵＩ提供部は、
前記所定の作成者が、前記リンクの指定によって特定される動画コンテンツに対応する動画サマリを作成するためのＵＩを提供する、
ことを特徴とする請求項５又は６に記載のサービス提供装置。
【請求項８】
前記サービス提供部は、
前記動画コンテンツに対応する動画サマリが複数存在する場合に、サービスを利用するユーザが任意に動画サマリを選択可能なサービスを提供する、
ことを特徴とする請求項１に記載のサービス提供装置。
【請求項９】
前記サービス提供部は、
前記動画コンテンツに対応する動画サマリが複数存在する場合に、動画サマリの個数に応じた順位に基づいて、当該動画コンテンツをユーザに提示するサービスを提供する、
ことを特徴とする請求項１に記載のサービス提供装置。
【請求項１０】
前記算出部は、
前記サービスにおいて、所定の動画サマリに対応する動画コンテンツがユーザから利用された回数、当該所定の動画サマリが選択された回数、当該動画コンテンツもしくは当該所定の動画サマリが視聴された時間、又は、当該動画コンテンツもしくは当該所定の動画サマリに伴い配信される広告コンテンツが視聴された回数もしくは時間、の少なくとも一つに基づいて、当該所定の動画サマリを作成した作成者に分配する報酬を算出する、
ことを特徴とする請求項１〜９のいずれか一つに記載のサービス提供装置。
【請求項１１】
コンピュータが実行するサービス提供方法であって、
サービスで利用される動画コンテンツの登録を受け付ける受付工程と、
前記受付工程によって受け付けられた動画コンテンツと、所定の作成者が当該動画コンテンツの構成を概略化した情報である動画サマリとを対応付けて配信するサービスであって、一の動画コンテンツに対応して任意の時間範囲で区切られた複数の動画からなる動画サマリが複数存在するサービスを提供するサービス提供工程と、
前記サービス提供工程によって提供されたサービスが利用された利用状況に関する情報に基づいて、前記動画サマリを作成した作成者に分配する報酬を算出する算出工程と、
を含んだことを特徴とするサービス提供方法。
【請求項１２】
サービスで利用される動画コンテンツの登録を受け付ける受付手順と、
前記受付手順によって受け付けられた動画コンテンツと、所定の作成者が当該動画コンテンツの構成を概略化した情報である動画サマリとを対応付けて配信するサービスであって、一の動画コンテンツに対応して任意の時間範囲で区切られた複数の動画からなる動画サマリが複数存在するサービスを提供するサービス提供手順と、
前記サービス提供手順によって提供されたサービスが利用された利用状況に関する情報に基づいて、前記動画サマリを作成した作成者に分配する報酬を算出する算出手順と、
をコンピュータに実行させることを特徴とするサービス提供プログラム。
【請求項１３】
コンピュータが実行するサービス提供方法であって、
サービスで利用される動画コンテンツの登録を受け付ける受付工程と、
前記受付工程によって受け付けられた動画コンテンツと、所定の作成者が当該動画コンテンツの構成を概略化した情報である動画サマリとを対応付けて配信するサービスであって、一の動画コンテンツに対応付けられた動画サマリが複数存在する場合に、当該動画サマリの個数に応じた順位に基づいて動画コンテンツをユーザに提示するサービスを提供するサービス提供工程と、
前記サービス提供工程によって提供されたサービスが利用された利用状況に関する情報に基づいて、前記動画サマリを作成した作成者に分配する報酬を算出する算出工程と、
を含んだことを特徴とするサービス提供方法。
【請求項１４】
サービスで利用される動画コンテンツの登録を受け付ける受付手順と、
前記受付手順によって受け付けられた動画コンテンツと、所定の作成者が当該動画コンテンツの構成を概略化した情報である動画サマリとを対応付けて配信するサービスであって、一の動画コンテンツに対応付けられた動画サマリが複数存在する場合に、当該動画サマリの個数に応じた順位に基づいて動画コンテンツをユーザに提示するサービスを提供するサービス提供手順と、
前記サービス提供手順によって提供されたサービスが利用された利用状況に関する情報に基づいて、前記動画サマリを作成した作成者に分配する報酬を算出する算出手順と、
をコンピュータに実行させることを特徴とするサービス提供プログラム。
【発明の詳細な説明】
【技術分野】
【０００１】
本発明は、サービス提供装置、サービス提供方法及びサービス提供プログラムに関する。
【背景技術】
【０００２】
近年、インターネットの飛躍的な普及に伴い、ネットワークを介して様々なサービスが提供されている。サービスの１つに、動画配信サービスがある。動画配信サービスでは、動画コンテンツの提供を所望するユーザからのアップロードを受け付けるとともに、動画コンテンツの視聴を所望するユーザに動画コンテンツを配信するサービスが提供される。動画配信サービスの管理者は、動画配信サイトのウェブページに広告を貼ったり、動画コンテンツに広告を埋め込んだりすることによって利益を得る。
【０００３】
動画配信に関する技術として、ユーザの利便性を向上させるため、ストリーム配信される動画コンテンツのインデックス情報を作成する技術が知られている（例えば、特許文献１）。また、簡易な操作で所定の動画をキャプチャしたり、動画コンテンツを編集したりすることのできるソフトウェアも知られている（例えば、非特許文献１）。
【先行技術文献】
【特許文献】
【０００４】
【特許文献１】特開２００３−２０４５３６号公報
【非特許文献】
【０００５】
【非特許文献１】“Debut動画キャプチャソフト”、［online］、［平成２７年６月３日検索］、インターネット＜http://www.nchsoftware.com/capture/jp/＞
【発明の概要】
【発明が解決しようとする課題】
【０００６】
しかしながら、上記の従来技術では、動画に係るサービスの活性化を図ることは困難である。具体的には、従来技術では、機械的な解析又は手入力により、動画コンテンツ内の任意のシーンにインデックス情報が付加されるに過ぎない。すなわち、従来技術によれば、ユーザ自身が特に視聴を望むシーンがある際の検索性や、動画視聴時の利便性の向上は図れるものの、動画配信サイトを訪問したユーザに対して、未知の動画コンテンツを視聴しようとする行動を促進させることは難しい。
【０００７】
なお、法人によって制作された映画などの商業的な動画コンテンツでは、視聴を促進させるため、概略を示す短編動画が作成される場合がある。すなわち、短編動画を宣伝としてユーザに視聴させることで、動画コンテンツ本編の視聴を促すことができる。しかし、動画配信サービスで配信される動画コンテンツの多くは一般ユーザから投稿されるものであり、短編動画が作成される機会は少ない。このため、多くの動画コンテンツは、付与されたタイトルや、動画からキャプチャされた１枚の静止画サムネイルなどを用いて動画配信サービスで紹介される。ところが、ユーザにとって静止画サムネイル等の乏しい情報に基づいて動画コンテンツを視聴すべきか否か（言い換えれば、動画コンテンツが自分にとって興味のある内容であるか否か）を判断することは難しいため、かかる運用では動画コンテンツの視聴が促進されず、サービスの活性化を図ることができないおそれがある。
【０００８】
本願は、上記に鑑みてなされたものであって、動画に係るサービスの活性化を図ることができるサービス提供装置、サービス提供方法及びサービス提供プログラムを提供することを目的とする。
【課題を解決するための手段】
【０００９】
本願に係るサービス提供装置は、サービスで利用される動画コンテンツの登録を受け付ける受付部と、前記受付部によって受け付けられた動画コンテンツと、所定の作成者が当該動画コンテンツの構成を概略化した情報である動画サマリとを対応付けて配信するサービスであって、一の動画コンテンツに対応する動画サマリが複数存在するサービスを提供するサービス提供部と、前記サービス提供部によって提供されたサービスが利用された利用状況に関する情報に基づいて、前記動画サマリを作成した作成者に分配する報酬を算出する算出部と、を備えたことを特徴とする。
【発明の効果】
【００１０】
実施形態の一態様によれば、動画に係るサービスの活性化を図ることができるという効果を奏する。
【図面の簡単な説明】
【００１１】
【図１】図１は、実施形態に係るサービス提供処理の一例を示す図である。
【図２】図２は、実施形態に係る動画サマリの一例を示す図である。
【図３】図３は、実施形態に係るサービス提供システムの構成例を示す図である。
【図４】図４は、実施形態に係るサービス提供装置の構成例を示す図である。
【図５】図５は、実施形態に係るコンテンツ記憶部の一例を示す図である。
【図６】図６は、実施形態に係るサマリ記憶部の一例を示す図である。
【図７】図７は、実施形態に係る利用状況記憶部の一例を示す図である。
【図８】図８は、実施形態に係るＵＩの提示処理の一例を説明する図である。
【図９】図９は、実施形態に係るＵＩの作成処理の一例を説明する図である。
【図１０】図１０は、実施形態に係るサービス提供部による処理の一例を説明する図である。
【図１１】図１１は、実施形態に係るサービス提供装置による処理手順を示すフローチャート（１）である。
【図１２】図１２は、実施形態に係るサービス提供装置による処理手順を示すフローチャート（２）である。
【図１３】図１３は、変形例に係るサービス提供処理の一例を示す図（１）である。
【図１４】図１４は、変形例に係るサービス提供処理の一例を示す図（２）である。
【図１５】図１５は、変形例に係るサービス提供部による処理の一例を説明する図（１）である。
【図１６】図１６は、変形例に係るサービス提供部による処理の一例を説明する図（２）である。
【図１７】図１７は、サービス提供装置の機能を実現するコンピュータの一例を示すハードウェア構成図である。
【発明を実施するための形態】
【００１２】
以下に、本願に係るサービス提供装置、サービス提供方法及びサービス提供プログラムを実施するための形態（以下、「実施形態」と呼ぶ）について図面を参照しつつ詳細に説明する。なお、この実施形態により本願に係るサービス提供装置、サービス提供方法及びサービス提供プログラムが限定されるものではない。また、以下の各実施形態において同一の部位には同一の符号を付し、重複する説明は省略される。
【００１３】
〔１．サービス提供処理の一例〕
まず、図１を用いて、実施形態に係るサービス提供処理の一例について説明する。図１は、実施形態に係るサービス提供処理の一例を示す図である。図１に示したサービス提供装置１００は、ネットワークを介して、動画コンテンツと、動画コンテンツの構成を概略化した情報である動画サマリ（summary）とを対応付けて配信するサービスを提供する。なお、サービス提供装置１００は、動画サマリを作成するための環境を作成者に提供し、作成者に動画サマリを作成させることで、動画サマリを取得する。そして、サービス提供装置１００は、サービスの利用状況に応じて、動画サマリを作成した作成者（以下、「サマリ作成者」と表記する）に所定の報酬を分配する。これにより、サービス提供装置１００は、ユーザにとって利便性の高いサービスを提供するとともに、サマリ作成者に収益を還元することのできる動画配信サービスを提供することができる。以下では、サービス提供装置１００によって行われるサービス提供処理の一例を流れに沿って説明する。
【００１４】
図１に示すように、動画投稿者は、情報処理端末である投稿端末２０を用いて、動画コンテンツをサービス提供装置１００に投稿する（ステップＳ０１）。これは、動画投稿者が、配信を所望する動画コンテンツとして、サービス提供装置１００が提供するサービスに動画コンテンツを登録することを意味している。
【００１５】
なお、動画投稿者は、投稿にあたって、動画コンテンツに所定の報酬を設定する。動画投稿者の設定に従い、動画サマリを作成したサマリ作成者には報酬が支払われる。ここで、動画投稿者によって所定の報酬が設定される理由について、以下に説明する。
【００１６】
動画投稿者は、動画配信サービスにおいて動画コンテンツが利用される際に表示される広告に基づき、広告収益を得る。例えば、動画配信サービスで配信された動画コンテンツが再生される場合には、本編が再生される前に、所定時間（例えば、５秒間など）だけ広告コンテンツが再生される。広告主は、広告コンテンツの再生に対して、所定の広告料を支払う。すなわち、動画投稿者は、動画配信サービスにおける動画コンテンツの利用が促進されるほど、自身の収益を上げることができる。ところが、動画配信サービスには多数の動画コンテンツが投稿されるため、自身が投稿する動画コンテンツの利用を促進させることは難しい。そこで、動画投稿者は、サマリ作成者に対して所定の報酬を提示し、自身が投稿する動画コンテンツの動画サマリの作成を促す。サービスを利用するユーザの目にとまるような優れた動画サマリが作成されることによって、動画投稿者は、自身の投稿する動画コンテンツの利用を促進させ、広告収益を高めることができる。このように、動画投稿者は、自身の投稿する動画コンテンツに、動画サマリを介して動画コンテンツが利用された場合に支払われる報酬を設定することで、より優れた動画サマリの作成を促進することができる。
【００１７】
図１の例では、動画コンテンツＣ０１には、報酬として「２０円／１再生」が設定されている。これは、動画コンテンツＣ０１が「１回」再生されるごとに、「２０円」がサマリ作成者に支払われることを示している。同様に、動画コンテンツＣ０２には、報酬として「１５円／１再生」が設定されている。これは、動画コンテンツＣ０２が「１回」再生されるごとに、「１５円」がサマリ作成者に支払われることを示している。
【００１８】
続いて、サービス提供装置１００は、投稿された動画コンテンツについて、サマリ作成者から動画サマリ作成の要望を受け付ける。具体的には、サービス提供装置１００は、サマリ作成者が操作する情報処理端末である作成端末１０１又は作成端末１０２に、サマリ作成のためのユーザインターフェイス（User  Interface、以下では「ＵＩ」と表記する)を提供する。サマリ作成者は、ＵＩを介して、動画サマリを作成するためのツールや、サマリ作成者に還元される報酬に関する情報を取得する。なお、以下では、作成端末１０１〜１０２を区別する必要がない場合には、これらを総称して「作成端末１０」と表記する。
【００１９】
そして、動画サマリの作成を所望するサマリ作成者は、所望する動画コンテンツを選択して、動画サマリを作成する（ステップＳ０２）。例えば図１では、作成端末１０１によって、動画コンテンツＣ０１に対応する動画サマリＭ０１１が作成される。また、作成端末１０１とは異なるサマリ作成者によって操作される作成端末１０２によって、動画コンテンツＣ０２に対応する動画サマリＭ０２１が作成される。また、図示しない他のサマリ作成者によって、動画サマリＭ０１２や、動画サマリＭ０１３や、動画サマリＭ０２２が作成されてもよい。サービス提供装置１００は、作成された動画サマリを動画コンテンツと対応付けて格納する。そして、サービス提供装置１００は、動画配信サービスにおいて、動画コンテンツをユーザに提示する際に、動画サマリを対応付けて提示する。
【００２０】
ユーザは、操作するユーザ端末３０を介して、サービス提供装置１００が提供する動画配信サービスを利用する（ステップＳ０３）。ユーザは、動画サマリを参照することによって、動画配信サービスにおいて多数提示される動画コンテンツの中から、興味を持った動画コンテンツの配信を受けることができる。
【００２１】
ここで、図２を用いて、動画配信サービスにおいて参照される動画サマリについて説明する。図２は、実施形態に係る動画サマリの一例を示す図である。図２では、動画コンテンツＣ０１に対応する動画サマリＭ０１１〜Ｍ１３が、ユーザ端末３０に表示されている例を示す。
【００２２】
図２に示すように、動画コンテンツＣ０１は、静止画サムネイル５０と、静止画サムネイルに付与される短いテキストの説明文５２を伴い、ユーザ端末３０に表示される。ここで、ユーザが、動画コンテンツＣ０１に対応する動画サマリＭ０１１を表示させることを選択したとする。すると、ユーザ端末３０の表示部３１は、動画サマリＭ０１１を表示する画面に遷移する。
【００２３】
図２に示す例では、動画サマリＭ０１１は、動画コンテンツＣ０１が任意の時間の範囲で複数に区切られた形式によって示される。動画サマリＭ０１１の各区切りは、動画コンテンツＣ０１における時間情報を示す「範囲」の項目と、各区切りを画像で示す「サムネイル画像」と、各区切りの内容を説明するテキストである「サマリ文言」とで構成される。ユーザは、動画サマリＭ０１１を参照することによって、動画コンテンツＣ０１の構成の概略を知得できる。すなわち、ユーザは、動画コンテンツＣ０１を全て再生しなくとも、動画コンテンツＣ０１に含まれる内容を把握することができ、また、興味のある内容がどのくらいの範囲に含まれているのかといった動画コンテンツＣ０１の概要を把握できる。
【００２４】
また、ユーザは、動画サマリＭ０１１の区切りを選択することによって、区切りに設定された範囲から動画コンテンツＣ０１を再生させることができる。図２で示す例では、ユーザは、範囲「０：１９〜１：１９」を選択（タップ）するものとする。この場合、ユーザ端末３０の表示は、動画サマリＭ０１１から、「０：１９」を再生開始点とした動画コンテンツＣ０１の表示に遷移する。このように、ユーザは、動画サマリを参照することで、動画コンテンツの内容を把握し、また、自身の興味のある内容が含まれる箇所を素早く再生させることができる。
【００２５】
なお、動画サマリにおける「範囲」や「サマリ文言」等は、サマリ作成者によって任意に設定される。このように、同一の動画コンテンツに対応する動画サマリであっても、サマリ作成者によって提示される情報が異なるため、動画サマリが有する集客性についても異なることが想定される。例えば、提示する情報がユーザにとってわかりやすい動画サマリは、ユーザに選択される機会が増え、動画コンテンツが利用される契機となりやすいと想定される。
【００２６】
図１に戻って説明を続ける。サービス提供装置１００は、サービスの利用状況を動画投稿者に通知する（ステップＳ０４）。具体的には、サービス提供装置１００は、動画投稿者によって投稿された動画コンテンツの総利用（再生）回数や、動画サマリを介して動画コンテンツが利用された場合の各動画サマリの選択回数などを動画投稿者に通知する。
【００２７】
そして、動画投稿者は、利用状況に応じて算出されるサマリ作成者への報酬をサービス提供装置１００に支払う（ステップＳ０５）。サマリ作成者は、サービス提供装置１００を介して、動画投稿者から支払われた報酬を受け取る（ステップＳ０６）。言い換えれば、サービス提供装置１００は、動画投稿者から支払われた報酬をサマリ作成者に分配する。具体的には、サービス提供装置１００は、動画サマリＭ０１１が選択された回数に応じた報酬額を算出し、作成端末１０１に対応するサマリ作成者に分配する。同様に、サービス提供装置１００は、動画サマリＭ０２１が選択された回数に応じた報酬額を算出し、作成端末１０２に対応するサマリ作成者に分配する。
【００２８】
このように、実施形態に係るサービス提供装置１００は、サービスで利用される動画コンテンツの投稿を動画投稿者から受け付ける。そして、サービス提供装置１００は、動画コンテンツと、サマリ作成者が当該動画コンテンツの構成を概略化した情報である動画サマリとを対応付けて配信する動画配信サービスを提供する。さらに、サービス提供装置１００は、動画配信サービスが利用された利用状況に関する情報に基づいて、動画サマリを作成したサマリ作成者に分配する報酬を算出する。
【００２９】
これにより、サービス提供装置１００は、動画コンテンツの利用を促進させることができるので、動画投稿者の広告収益の拡大を図ることができる。また、サービス提供装置１００は、動画コンテンツの利用に応じてサマリ作成者に報酬を支払うことにより、サマリ作成者の動画サマリの創作への意欲を高めることができる。そして、サマリ作成者によって良質な動画サマリが多く作成されることにより、サービス提供装置１００は、動画コンテンツを利用しようとするユーザに対して利便性の高いサービスを提供できる。すなわち、サービス提供装置１００は、動画配信サービス全体のサービス品質を向上させることができる。このため、サービス提供装置１００は、動画配信サービス自体の収益の拡大（例えば、動画配信サービスを提供するウェブページに貼られている広告収益の拡大）を図ることができる。結果として、サービス提供装置１００は、動画に係るサービスの活性化を図ることができる。
【００３０】
〔２．サービス提供システムの構成〕
次に、図３を用いて、実施形態に係るサービス提供システム１の構成について説明する。図３は、実施形態に係るサービス提供システム１の構成例を示す図である。図３に示すように、サービス提供システム１には、作成端末１０と、投稿端末２０と、ユーザ端末３０と、広告主端末４０と、サービス提供装置１００とが含まれる。作成端末１０、投稿端末２０、ユーザ端末３０、広告主端末４０、及び、サービス提供装置１００は、ネットワークＮを介して、有線又は無線により通信可能に接続される。なお、図３に示したサービス提供システム１には、複数台の作成端末１０や、複数台の投稿端末２０や、複数台のユーザ端末３０や、複数台の広告主端末４０や、複数台のサービス提供装置１００が含まれてもよい。
【００３１】
作成端末１０は、サマリ作成者によって利用される情報処理端末である。例えば、作成端末１０は、サマリ作成者による操作に従って、サービス提供装置１００が提供するサービスにアクセスする。そして、作成端末１０は、動画サマリ作成の処理を実行する。なお、以下では、作成端末１０をサマリ作成者と表記する場合がある。すなわち、以下では、サマリ作成者を作成端末１０と読み替えることもできる。
【００３２】
投稿端末２０は、動画投稿者によって利用される情報処理端末である。例えば、投稿端末２０は、動画投稿者による操作に従って、ネットワークＮで利用可能な動画コンテンツを作成する。また、投稿端末２０は、サービス提供装置１００が提供するサービスに動画コンテンツを送信する。なお、以下では、投稿端末２０を動画投稿者と表記する場合がある。すなわち、以下では、動画投稿者を投稿端末２０と読み替えることもできる。
【００３３】
ユーザ端末３０は、コンテンツを閲覧するユーザによって利用される情報処理端末である。例えば、ユーザ端末３０は、ユーザによる操作に従って、動画配信サービスを提供するウェブページにアクセスする。そして、ユーザ端末３０は、ユーザが所望する動画コンテンツを選択することにより、動画コンテンツの配信を受け付ける。そして、ユーザ端末３０は、受け付けた動画コンテンツを表示部３１（例えば、液晶ディスプレイ）に表示する。なお、以下では、ユーザ端末３０をユーザと表記する場合がある。すなわち、以下では、ユーザをユーザ端末３０と読み替えることもできる。
【００３４】
広告主端末４０は、広告主によって利用される情報処理端末である。例えば、広告主端末４０は、広告主による操作に従って、サービス提供装置１００や、図示しない所定の広告管理サーバに広告コンテンツを入稿する。広告主が入稿した広告コンテンツは、配信される動画コンテンツに埋め込まれたり、動画配信サービスを提供するウェブページに埋め込まれたりすることで、ユーザに配信される。また、以下では、広告主端末４０を広告主と表記する場合がある。すなわち、以下では、広告主を広告主端末４０と読み替えることもできる。
【００３５】
なお、広告主は、入稿作業等を代理店に依頼する場合もある。この場合、サービス提供装置１００によって提供される動画配信サービスを利用するのは代理店となる。以下では、「広告主」といった表記は、広告主だけでなく代理店を含む概念であり、「広告主端末」といった表記は、広告主端末だけでなく代理店によって利用される代理店端末を含む概念であるものとする。
【００３６】
サービス提供装置１００は、例えば、ウェブサーバ等である。図１を用いて説明したように、サービス提供装置１００は、動画コンテンツと、動画コンテンツに対応する動画サマリとをユーザに配信するサービスを提供する。
【００３７】
なお、上述した作成端末１０や、投稿端末２０や、ユーザ端末３０や、広告主端末４０は、例えば、デスクトップ型ＰＣ（Personal  Computer）や、ノート型ＰＣや、スマートフォン（Smartphone）や、タブレット型端末や、ＰＤＡ（Personal  Digital  Assistant）や、ウェアラブル端末（Wearable  Device）等により実現される。
【００３８】
〔３．サービス提供装置の構成〕
次に、図４を用いて、実施形態に係るサービス提供装置１００の構成について説明する。図４は、実施形態に係るサービス提供装置１００の構成例を示す図である。図４に示すように、サービス提供装置１００は、通信部１１０と、記憶部１２０と、制御部１３０とを有する。なお、サービス提供装置１００は、サービス提供装置１００の管理者等から各種操作を受け付ける入力部（例えば、キーボードやマウス等）や、各種情報を表示するための表示部（例えば、液晶ディスプレイ等）を有してもよい。
【００３９】
（通信部１１０について）
通信部１１０は、例えば、ＮＩＣ（Network  Interface  Card）によって実現される。かかる通信部１１０は、ネットワークＮと有線又は無線で接続される。そして、通信部１１０は、ネットワークＮを介して、作成端末１０や投稿端末２０やユーザ端末３０や広告主端末４０との間で情報の送受信を行う。
【００４０】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、コンテンツ記憶部１２１と、サマリ記憶部１２２と、利用状況記憶部１２３とを有する。
【００４１】
（コンテンツ記憶部１２１について）
コンテンツ記憶部１２１は、投稿端末２０から投稿される動画コンテンツに関する情報を記憶する。ここで、図５に、実施形態に係るコンテンツ記憶部１２１の一例を示す。図５は、実施形態に係るコンテンツ記憶部１２１の一例を示す図である。図５に示すように、コンテンツ記憶部１２１は、「動画投稿者ＩＤ」、「動画コンテンツＩＤ」、「報酬」、「動画サマリ数」といった項目を有する。
【００４２】
「動画投稿者ＩＤ」は、動画投稿者又は投稿端末２０を識別するための識別情報を示す。「動画コンテンツＩＤ」は、動画投稿者からサービス提供装置１００に投稿される動画コンテンツを識別するための識別情報を示す。なお、本明細書中では、図５に示した識別情報を参照符号として用いる場合がある。例えば、動画投稿者ＩＤ「ＣＬ０１」によって識別される動画投稿者を「動画投稿者ＣＬ０１」と、動画コンテンツＩＤ「Ｃ０１」によって識別される動画コンテンツを「動画コンテンツＣ０１」と表記する場合がある。
【００４３】
「報酬」は、サマリ作成者への報酬を示す。報酬は、動画投稿者によって任意に設定されてもよいし、サービス提供装置１００によって設定されてもよい。また、報酬は、必ずしも金銭に限られない。例えば、報酬は、サービスで利用可能なサービスポイントや、サマリ作成者の評価を表す印（サービス上で表示されるメダルなど）等でもよい。
【００４４】
「動画サマリ数」は、作成されている動画サマリの数を示す。例えば、ユーザからアクセス数の多い動画コンテンツや、報酬が高く設定されている動画コンテンツなどは、サマリ作成者が動画サマリを作成しようとする動機付けが高くなるため、動画サマリ数が多くなると想定される。
【００４５】
すなわち、図５に示す一例では、動画投稿者ＩＤ「ＣＬ０１」によって識別される動画投稿者が、動画コンテンツＩＤ「Ｃ０１」によって識別される動画コンテンツをサービスに投稿している。また、動画コンテンツＣ０１に設定されている報酬は「２０円／１再生」であり、動画コンテンツＣ０１に対応する動画サマリして、「３」個の動画サマリが作成されている例を示している。
【００４６】
（サマリ記憶部１２２について）
サマリ記憶部１２２は、サマリ作成者によって作成される動画サマリに関する情報を記憶する。ここで、図６に、実施形態に係るサマリ記憶部１２２の一例を示す。図６は、実施形態に係るサマリ記憶部１２２の一例を示す図である。図６に示した例では、サマリ記憶部１２２は、「サマリ作成者ＩＤ」、「動画サマリＩＤ」、「動画コンテンツＩＤ」、「範囲」、「サマリ文言」といった項目を有する。
【００４７】
「サマリ作成者ＩＤ」は、サマリ作成者又は作成端末１０を識別するための識別情報を示す。「動画サマリＩＤ」は、サマリ作成者によって作成される動画サマリを識別するための識別情報を示す。「動画コンテンツＩＤ」は、動画コンテンツを識別するための識別情報であり、ここでは、動画サマリに対応する動画コンテンツを示している。なお、本明細書中では、図６に示した識別情報を参照符号として用いる場合がある。例えば、サマリ作成者ＩＤ「Ｕ０１１」によって識別されるサマリ作成者を「サマリ作成者Ｕ０１１」と、動画サマリＩＤ「Ｍ０１１」によって識別される動画サマリを「動画サマリＭ０１１」と表記する場合がある。
【００４８】
「範囲」は、動画サマリにおいて、動画コンテンツの時系列上の区切りの範囲を指定した情報を示す。「範囲」は、サマリ作成者が任意に設定することができる。「サマリ文言」は、範囲によって区切られた各区切りに対応する説明文を示す。「サマリ文言」は、サマリ作成者が任意に設定することができる。
【００４９】
すなわち、図６に示す一例では、サマリ作成者ＩＤ「Ｕ０１１」によって識別されるサマリ作成者が、動画コンテンツＣ０１に対応する動画サマリとして、動画サマリＩＤ「Ｍ０１１」によって識別される動画サマリを作成している。また、動画サマリＭ０１１には、「０：０５〜０：１８」の範囲で区切られた区切りがあり、かかる区切りに対応するサマリ文言は「０．２秒で人ができること」である例を示している。
【００５０】
なお、図５及び図６に関して、実際にユーザ端末３０に配信される動画コンテンツや動画サマリのデータは、サービス提供装置１００とは別に備えられた所定のストレージサーバに記憶されてもよい。この場合、サービス提供装置１００は、コンテンツ記憶部１２１及びサマリ記憶部１２２に記憶された動画コンテンツＩＤや動画サマリＩＤに基づいて、外部のストレージサーバに記憶された動画コンテンツや動画サマリを特定する。そして、サービス提供装置１００は、特定された動画コンテンツや動画サマリをユーザ端末３０に配信するようストレージサーバを制御する。
【００５１】
（利用状況記憶部１２３について）
利用状況記憶部１２３は、サービスの利用状況に関する情報を記憶する。ここで、図７に、実施形態に係る利用状況記憶部１２３の一例を示す。図７は、実施形態に係る利用状況記憶部１２３の一例を示す図である。図７に示した例では、利用状況記憶部１２３は、「動画コンテンツＩＤ」、「利用回数」、「動画サマリＩＤ」、「選択回数」といった項目を有する。
【００５２】
「動画コンテンツＩＤ」及び「動画サマリＩＤ」は、図５及び図６で示す同様の項目に対応する。「利用回数」は、サービスにおいてユーザから動画コンテンツがアクセスされ、利用（再生）された回数を示す。
【００５３】
「選択回数」は、サービスにおいてユーザから動画サマリがアクセスされ、選択された回数を示す。なお、ユーザは、動画サマリを選択せずに動画コンテンツを利用することも可能であるため、各動画サマリの「選択回数」の和が「利用回数」と一致しない場合もある。
【００５４】
すなわち、図７に示す一例では、動画コンテンツＣ０１が「１４５００」回利用されており、そのうち、動画サマリＭ０１１は「５２００」回、動画サマリＭ０１２は「２５００」回、動画サマリＭ０１３は「７００」回選択されていることを示している。
【００５５】
（制御部１３０について）
図４の説明に戻って、制御部１３０は、例えば、ＣＰＵ（Central  Processing  Unit）やＭＰＵ（Micro  Processing  Unit）等によって、サービス提供装置１００内部の記憶装置に記憶されている各種プログラム（サービス提供プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５６】
図４に示すように、制御部１３０は、受付部１３１と、ＵＩ（ユーザインターフェイス）提供部１３２と、作成部１３３と、サービス提供部１３４と、配信部１３５と、分配部１３６とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００５７】
（受付部１３１について）
受付部１３１は、サービスで利用される動画コンテンツの登録を受け付ける。例えば、受付部１３１は、動画投稿者から動画コンテンツの投稿を受け付け、サービスで配信する動画コンテンツとして登録する。
【００５８】
また、受付部１３１は、動画サマリを介して動画コンテンツが利用された際の報酬の設定を受け付ける。例えば、受付部１３１は、動画コンテンツが投稿されるタイミングで動画投稿者から報酬の設定を受け付ける。また、受付部１３１は、動画コンテンツが配信された後に、報酬の設定の更新を受け付けてもよい。これにより、動画投稿者は、設定した報酬を引き上げることによって動画サマリの作成を促したり、実情に沿って設定した報酬の額を調整したりすることができる。また、受付部１３１は、受け付けた情報をコンテンツ記憶部１２１に格納する。また、受付部１３１は、広告主端末４０から、動画配信サービスに係るウェブページの広告枠に組み込まれる広告コンテンツのデータ等を受け付けてもよい。
【００５９】
（ＵＩ提供部１３２について）
ＵＩ提供部１３２は、受付部１３１によって受け付けられた動画コンテンツに対応する動画サマリを作成するためのＵＩを提供する。ＵＩ提供部１３２は、ＵＩを介して、サマリ作成者が動画サマリを作成可能な動画コンテンツを提示したり、動画サマリ作成のためのツールを提供したりする。
【００６０】
ここで、図８及び図９を用いて、ＵＩ提供部１３２が提供するＵＩについて説明する。まず図８を用いて、動画コンテンツの提示処理について説明する。図８は、実施形態に係るＵＩの提示処理の一例を説明する図である。図８では、ＵＩが、サマリ作成者から入力された検索クエリに従い、動画サマリを作成可能な動画コンテンツを提示する例を示している。
【００６１】
図８に示すように、ＵＩ提供部１３２は、ＵＩとして、クエリ入力スペース５４を有する表示画面を作成端末１０に表示させる。サマリ作成者は、動画サマリの作成を所望する動画コンテンツを検索するため、例えば、興味のある言葉をクエリとして、クエリ入力スペース５４に入力する。図８の例では、サマリ作成者は、クエリとして「猫」を入力するものとする。
【００６２】
ＵＩ提供部１３２は、クエリに「猫」が入力された場合、コンテンツ記憶部１２１から「猫」に関する動画コンテンツを出力し、作成端末１０に表示させる。なお、検索に係る処理は、既知の手法により実現される。例えば、ＵＩ提供部１３２は、動画コンテンツに予め埋め込まれたタグ情報やタイトル等に基づいて動画コンテンツを検索してもよいし、動画コンテンツの内容から抽出された情報とクエリとの一致度を判定することで動画コンテンツを検索してもよい。
【００６３】
図８に示すように、ＵＩ提供部１３２は、検索結果として、「猫」と関連する動画コンテンツを提示する。サマリ作成者は、ＵＩにおいて、「この動画のサマリを作る」と表記された表示領域５６を選択することで、動画サマリ作成を希望する動画コンテンツを選択することができる。
【００６４】
続いて、図９を用いて、ＵＩ提供部１３２が提供する動画サマリの作成ツールについて説明する。図９は、実施形態に係るＵＩの作成処理の一例を説明する図である。図９では、サマリ作成者によって、動画コンテンツを区切る「範囲」や、「サマリ文言」が設定される例を示している。
【００６５】
図９に示すように、ＵＩ提供部１３２は、ＵＩとして、範囲入力スペース５８や、サマリ文言入力スペース６０を有する動画サマリ作成のためのツールを提供する。サマリ作成者は、範囲入力スペース５８において、開始時間と終了時間を設定することで、動画コンテンツを区切ることができる（図９の例では、便宜上、各区切りを「サマリ１」、「サマリ２」等と表記する）。すなわち、サマリ作成者は、動画コンテンツにおける範囲を特定することにより、区切りである「サマリ１」を作成する。
【００６６】
そして、サマリ作成者は、サマリ１に対応するサマリ文言入力スペース６０にサマリ文言を入力する。サマリ作成者は、サマリ１に対する入力が完了した場合、「完成」と表記された表示領域６２を選択する。続いて、サマリ作成者は、サマリ１以降の区切りを追加したい場合には、「さらにサマリを増やす」と表記された表示領域６４を選択し、区切りを追加することができる。
【００６７】
（作成部１３３について）
作成部１３３は、ＵＩ提供部１３２によって提供されたＵＩに入力された情報に基づいて、動画サマリを作成する。具体的には、作成部１３３は、ＵＩ提供部１３２によって提供されたＵＩを介して、サマリ作成者から動画サマリに関する情報を受け付ける。そして、作成部１３３は、サマリ作成者が設定した内容に従い、動画コンテンツに対応する動画サマリを作成する。そして、作成部１３３は、作成した動画サマリに関する情報をサマリ記憶部１２２に格納する。
【００６８】
（サービス提供部１３４について）
サービス提供部１３４は、動画コンテンツと、サマリ作成者が動画コンテンツの構成を概略化した情報である動画サマリとを対応付けて配信するサービスを提供する。例えば、サービス提供部１３４は、ユーザがアクセス可能な所定のウェブページを介して、動画配信サービスを提供する。サービス提供部１３４は、動画コンテンツを提示する際に、動画コンテンツに対応する動画サマリを提示することにより、ユーザの利便性に優れた動画配信サービスを提供する。
【００６９】
サービス提供部１３４は、動画コンテンツに対応する動画サマリが複数存在する場合には、サービスを利用するユーザが任意に動画サマリを選択可能なサービスを提供する。この点について、図１０を用いて説明する。図１０は、実施形態に係るサービス提供部１３４による処理の一例を説明する図である。図１０では、動画配信サービスにアクセスしたユーザ端末３０が、サービス提供部１３４によって提供されるサービスを表示している例を示している。
【００７０】
図１０に示すように、サービス提供部１３４は、動画コンテンツＣ０１をユーザ端末３０の表示部の上部に表示させる。また、サービス提供部１３４は、表示部の下部に動画コンテンツＣ０１に対応する複数の動画サマリを、ユーザが任意に選択できるように表示する。具体的には、サービス提供部１３４は、動画コンテンツＣ０１に対応する動画サマリＭ０１１、動画サマリＭ０１２及び動画サマリＭ０１３を表示する。そして、サービス提供部１３４は、ユーザから動画サマリが選択された場合に、動画サマリの内容を表示するように画面を遷移させる。なお、サービス提供部１３４は、動画サマリを表示する際に、動画サマリの作成者に関する情報や、動画サマリに対する評価に関する情報を併せて表示してもよい。
【００７１】
図１０の例において、ユーザは、ユーザ端末３０の表示部をタップすることにより、動画サマリＭ０１１を選択したものとする。すると、サービス提供部１３４は、ユーザ端末３０の表示部に動画コンテンツＣ０１と、動画サマリＭ０１１とを並べて表示させる。この状態において、例えば、ユーザが動画サマリＭ０１１の「０：１９〜０１：１９」で示される区切りをタップした場合、サービス提供部１３４は、動画コンテンツＣ０１における「０：１９」の時点から再生を開始させる。すなわち、サービス提供部１３４は、上述してきたような挙動をユーザ側で制御することのできる動画配信サービスを提供する。
【００７２】
（配信部１３５について）
配信部１３５は、サービス提供部１３４によって提供されるサービスに関する情報を配信する。具体的には、配信部１３５は、ユーザ端末３０がサービスにアクセスした場合に、サービスに関するウェブページを配信する。また、配信部１３５は、動画配信サービスにおいて所定の動画コンテンツが選択された場合に、動画コンテンツと、動画コンテンツに対応する動画サマリに関する情報（例えば、動画コンテンツを示すサムネイル等）を配信する。
【００７３】
また、配信部１３５は、動画サマリが選択された場合には、動画サマリ内で設定された範囲やサマリ文言などの内容を含む動画サマリのデータをユーザに配信する。また、配信部１３５は、動画サマリの区切りをユーザがタップすること等により、所定の範囲への選択が行われた場合には、動画コンテンツのデータを配信する。なお、配信部１３５は、動画サマリを介さずに、ユーザが直接動画コンテンツをタップ等した場合であっても、動画コンテンツのデータを配信するようにしてもよい。
【００７４】
（分配部１３６について）
分配部１３６は、サービス提供部１３４によって提供されるサービスが利用された利用状況に関する情報に基づいて、動画サマリを作成した作成者に報酬を分配する。分配部１３６は、取得部１３７と、算出部１３８と、通知部１３９とを有し、各処理部によって、分配処理を実現する。すなわち、以下で説明する取得部１３７、算出部１３８、及び通知部１３９によって行われる処理は、分配部１３６によって行われる処理として読み替えることができる。
【００７５】
（取得部１３７について）
取得部１３７は、各種情報を取得する。例えば、取得部１３７は、サービス提供部１３４によって提供されるサービスにおける利用状況を取得する。具体的には、取得部１３７は、サービスにアクセスしたユーザ端末３０に対して、配信部１３５によって動画コンテンツが配信された回数や、動画サマリが配信された回数を取得する。言い換えれば、取得部１３７は、サービスにおける動画コンテンツや動画サマリがユーザから利用された回数や選択された回数を取得する。
【００７６】
また、取得部１３７は、コンテンツ記憶部１２１等を参照することにより、配信された動画コンテンツに対応する報酬の設定や、動画コンテンツを投稿した動画投稿者を特定する情報等を取得する。また、取得部１３７は、動画サマリを作成したサマリ作成者を特定する情報を取得する。取得部１３７は、取得した情報を利用状況記憶部１２３に格納する。また、取得部１３７は、取得した情報を算出部１３８に送る。
【００７７】
（算出部１３８について）
算出部１３８は、サービス提供部１３４によって提供されるサービスが利用された利用状況に関する情報に基づいて、動画サマリを作成した作成者に分配する報酬を算出する。例えば、算出部１３８は、動画サマリを介して動画コンテンツが利用された場合に、動画投稿者による報酬の設定に基づいて、動画サマリの作成者に分配する報酬を算出する。また、算出部１３８は、動画投稿者による報酬の設定に基づいて、設定に対応する動画投稿者の支払い額を算出する。
【００７８】
例えば、算出部１３８は、サービスにおいて、動画サマリに対応する動画コンテンツがユーザから利用された回数に基づいて、動画サマリを作成したサマリ作成者に報酬を分配する。すなわち、算出部１３８は、動画投稿者から「２０円／１再生」といった報酬の設定を受け付けていた場合には、動画サマリを介して動画コンテンツが再生された回数を「２０円」に乗算することにより、報酬を算出する。なお、算出部１３８は、動画投稿者から設定された内容によっては、動画コンテンツが利用された回数のみならず、ユーザが動画サマリを選択した回数に基づいて報酬の算出を行ってもよい。また、算出部１３８は、動画投稿者とサマリ作成者との報酬の受け渡しに関して、サービス提供装置１００側が受ける所定の手数料を算出してもよい。
【００７９】
（通知部１３９について）
通知部１３９は、各種情報を通知する。例えば、通知部１３９は、サービスの利用状況を動画投稿者及びサマリ作成者に通知する。具体的には、通知部１３９は、動画投稿者によって投稿された動画コンテンツの利用回数や、動画サマリを介して動画コンテンツが利用された場合の各動画サマリの選択回数などを通知する。
【００８０】
また、通知部１３９は、算出部１３８によって算出されたサマリ作成者への報酬や、動画投稿者の支払い額などを通知する。なお、通知部１３９は、動画投稿者から支払いを受け付ける受付処理や、サマリ作成者に料金を送金する送金処理を行ってもよい。
【００８１】
〔４．処理手順〕
次に、図１１及び図１２を用いて、実施形態に係るサービス提供装置１００による処理の手順について説明する。まず、図１１を用いて、投稿された動画コンテンツから動画サマリを作成する処理の流れについて説明する。図１１は、実施形態に係るサービス提供装置１００による処理手順を示すフローチャート（１）である。
【００８２】
図１１に示すように、受付部１３１は、動画コンテンツの投稿を受け付ける（ステップＳ１０１）。そして、ＵＩ提供部１３２は、受け付けた動画コンテンツに対応する動画サマリ作成のためのＵＩを提供する（ステップＳ１０２）。
【００８３】
そして、ＵＩ提供部１３２は、ＵＩを介して、サマリ作成者から動画サマリの作成を受け付けたか否かを判定する（ステップＳ１０３）。作成を受け付けない場合（ステップＳ１０３；Ｎｏ）、ＵＩ提供部１３２は、作成を受け付けるまで待機する。
【００８４】
一方、作成を受け付けた場合（ステップＳ１０３；Ｙｅｓ）、ＵＩ提供部１３２は、動画サマリの作成に関する情報を取得する。そして、作成部１３３による動画サマリの作成が行われ、作成部１３３は、動画コンテンツと動画サマリとを対応付けて記憶する（ステップＳ１０４）。かかる処理により、サービスにおいてユーザに提供する動画サマリが作成される。
【００８５】
次に、図１１の後の処理について説明する。図１２は、実施形態に係るサービス提供装置１００による処理手順を示すフローチャート（２）である。
【００８６】
サービス提供部１３４は、動画コンテンツと動画サマリとを配信するサービスを提供する。そして、サービス提供部１３４は、サービスにおいて、ユーザからアクセスを受け付けたか否かを判定する（ステップＳ２０１）。
【００８７】
アクセスを受け付けていない場合（ステップＳ２０１；Ｎｏ）、サービス提供部１３４は、アクセスを受け付けるまで待機する。一方、アクセスを受け付けた場合（ステップＳ２０１；Ｙｅｓ）、取得部１３７は、配信部１３５による動画コンテンツの配信など、ユーザによって行われたサービス内での利用状況を取得する（ステップＳ２０２）。
【００８８】
そして、算出部１３８は、取得部１３７によって取得された利用状況に関する情報に基づいて、サマリ作成者への報酬を算出する（ステップＳ２０３）。続いて、通知部１３９は、算出部１３８によって算出された報酬の額等を含めて、利用状況に関する情報を動画投稿者に通知する（ステップＳ２０４）。
【００８９】
そして、通知部１３９は、動画投稿者から報酬の支払いを受け付ける（ステップＳ２０５）。さらに、通知部１３９は、動画投稿者から受けた支払いに基づき、サマリ作成者に報酬を分配する（ステップＳ２０６）。サービス提供装置１００による処理は、ステップＳ２０６の後、ステップＳ２０１へと移行し、上記の処理を繰り返す。
【００９０】
〔５．変形例〕
上述した実施形態に係るサービス提供システム１は、上記実施形態以外にも種々の異なる形態にて実施されてよい。そこで、以下では、サービス提供システム１の他の実施形態について説明する。
【００９１】
〔５−１．収益の還元モデル〕
上述した実施形態においては、サービス提供装置１００は、動画投稿者から動画コンテンツに対する報酬の設定を受け付け、かかる設定に基づいて、サマリ作成者に対する報酬を算出する例を示した。しかし、サービス提供装置１００は、異なる処理によってサマリ作成者に対する報酬を算出してもよい。この点について、図１３を用いて説明する。
【００９２】
図１３は、変形例に係るサービス提供処理の一例を示す図（１）である。図１３では、サービス提供装置１００は、動画投稿者から報酬の設定を受けず、サービス自身の収益をサマリ作成者及び動画投稿者に分配する。以下では、変形例に係るサービス提供装置１００によって行われるサービス提供処理の一例を流れに沿って説明する。
【００９３】
動画投稿者は、動画配信サービスにおいて配信を所望する動画コンテンツＣ０１をサービス提供装置１００に投稿する（ステップＳ１１）。サービス提供装置１００は、受け付けた動画コンテンツＣ０１に対する動画サマリの作成を受け付ける。
【００９４】
そして、サマリ作成者は、サービス提供装置１００が提供するＵＩを介して、動画サマリを作成する（ステップＳ１２）。サービス提供装置１００は、動画コンテンツと、作成された動画サマリＭ０１１〜Ｍ０１３とを配信するサービスをユーザに提供する。ユーザは、提供されたサービスを利用する（ステップＳ１３）。
【００９５】
このとき、サービス提供装置１００は、サービスによる収益を獲得するものとする（ステップＳ１４）。例えば、サービス提供装置１００は、サービスを提供するウェブページに貼られている広告コンテンツの配信によって、広告主から広告料を受け取ることにより、収益を獲得する。広告料はウェブページのアクセス数等に連動するため、例えば、良質な動画サマリが作成されることによって、サービスに対するアクセス数が増加するほど、サービス提供装置１００は、多くの収益を獲得することができる。
【００９６】
そして、サービス提供装置１００は、得た収益を動画投稿者に還元する（ステップＳ１５）。例えば、サービス提供装置１００は、動画コンテンツＣ０１の利用回数に応じた収益を算出し、算出された額を動画投稿者に還元する。これは、ユーザから多く利用される動画コンテンツを投稿した動画投稿者ほど、サービス自体の収益に貢献したと考えられることによる。
【００９７】
同様に、サービス提供装置１００は、得た収益をサマリ作成者に還元する（ステップＳ１６）。例えば、サービス提供装置１００は、サマリ作成者が作成した動画サマリの選択回数に応じた収益を算出し、算出された額をサマリ作成者に還元する。これは、動画コンテンツの視聴のために、動画サマリが選択され、参照されることは、結果として、サービス自体の収益に貢献したと考えられることによる。
【００９８】
このように、サービス提供装置１００は、サービスにおいて動画コンテンツが利用されることで生じる収益の一部を報酬として、サマリ作成者及び動画投稿者に分配してもよい。
【００９９】
すなわち、サービス提供装置１００は、動画投稿者にサマリ作成者に対する報酬を設定させずとも、動画サマリ作成によってサービスの利用が増加することで得られる収益を還元するモデルにより、サマリ作成者に報酬を分配することができる。また、動画投稿者にとっても、利用回数が増えるほど自身が得られる収益が拡大するため、より良質な動画コンテンツを投稿する動機付けとなりうる。これにより、サービス提供装置１００は、良質な動画コンテンツと動画サマリを獲得し、サービス品質を向上させることができるので、サービスの活性化を図ることができる。
【０１００】
〔５−２．外部プラットフォーム〕
上述した実施形態においては、サービス提供装置１００は、動画投稿者から動画コンテンツの投稿を受け付け、サービスで利用する動画コンテンツとして登録する例を示した。ここで、サービス提供装置１００は、他の動画配信サイトなど、外部のプラットフォームを活用し、動画サマリを提示するサービスを行ってもよい。この点について、図１４を用いて説明する。
【０１０１】
図１４は、変形例に係るサービス提供処理の一例を示す図（２）である。図１４では、サービス提供装置１００は、動画投稿者から動画コンテンツの投稿を直接には受け付けず、外部のプラットフォームで配信されている動画コンテンツを利用することによって、サービスを運用する。以下では、変形例に係るサービス提供装置１００によって行われるサービス提供処理の一例を流れに沿って説明する。
【０１０２】
動画投稿者は、所定の外部動画プラットフォームに動画コンテンツＣ０１を投稿する（ステップＳ２１）。外部動画プラットフォームは、サービス提供装置１００が提供するサービスとは異なる動画配信サービスが行われているプラットフォームを示す。例えば、図１４に示すプラットフォーム５１や、プラットフォーム５２や、プラットフォーム５３は、それぞれ異なる動画配信サービスを行うウェブサイトである。プラットフォーム５１〜５３は、各々独自に動画コンテンツの投稿を受け付け、受け付けた動画コンテンツをユーザに配信する。
【０１０３】
外部動画プラットフォームに投稿された動画コンテンツは、各々のプラットフォームで動画コンテンツと広告コンテンツの対応付けが行われる（ステップＳ２２）。具体的には、動画コンテンツは、再生された場合に広告コンテンツが表示されるように各プラットフォームにおいて設定される。動画投稿者は、かかる広告コンテンツによる広告料により、収益を獲得することができる。
【０１０４】
ここで、サービス提供装置１００は、動画コンテンツＣ０１を自身で提供するサービスに埋め込む（ステップＳ２３）。具体的には、サービス提供装置１００は、外部動画プラットフォームにおける動画コンテンツＣ０１のリンクを取得することにより、自身が提供するサービスから動画コンテンツへアクセス可能なように設定を行う。サービス提供装置１００は、ネットワークＮ上をクロール（crawl）することにより動画コンテンツＣ０１のリンクを取得してもよいし、外部動画プラットフォームと業務提携することで、外部動画プラットフォームからリンクの提供を受けてもよい。また、サービス提供装置１００は、動画投稿者の希望により動画コンテンツの登録を受け付けてもよい。動画投稿者は、例えば、サービス提供装置１００が提供するサービスに動画コンテンツを提供するにあたり、図１の例と同様に報酬を設定し、自身の動画コンテンツの利用を促進させるようにしてもよい。
【０１０５】
サービス提供装置１００は、このようにして自身のサービスで利用可能となった動画コンテンツＣ０１について、動画サマリの作成を受け付ける。サマリ作成者は、サービス提供装置１００が提供するＵＩを介して、動画サマリを作成する（ステップＳ２４）。サービス提供装置１００は、動画コンテンツＣ０１と、作成された動画サマリＭ０１１〜Ｍ０１３とを配信するサービスをユーザに提供する。ユーザは、提供されたサービスを利用する（ステップＳ２５）。
【０１０６】
そして、サービス提供装置１００は、サービスによる収益を獲得する（ステップＳ２６）。この場合、サービス提供装置１００は、図１３の例と同じく、サマリ作成者に対してサービスにより得た収益を還元する（ステップＳ２７）。
【０１０７】
そして、この場合、外部動画プラットフォームは、配信を行った環境は異なるものの、ユーザにより動画コンテンツＣ０１が配信されることで、自身が対応付けた広告コンテンツの配信を達成している（ステップＳ２８）。このため、外部動画プラットフォームは、所定の広告料を得る。そして、外部動画プラットフォームは、得た収益に基づいて、動画投稿者に報酬の支払いを行う（ステップＳ２９）。
【０１０８】
このように、サービス提供装置１００に係る受付部１３１は、サービス提供部１３４によって提供されるサービスとは異なる外部サービスで利用されている動画コンテンツのリンクの指定によって、動画コンテンツの登録を受け付けてもよい。そして、サービス提供部１３４は、リンクの指定によって特定される動画コンテンツと、当該動画コンテンツの動画サマリとを対応付けて配信するサービスを提供する。
【０１０９】
すなわち、サービス提供装置１００は、自身が受け付けていない動画コンテンツであっても、動画サマリを作成し、ユーザに動画サマリを提示することができる。このため、サービス提供装置１００は、より柔軟に動画サマリの基となる動画コンテンツを確保することができる。そして、上述したように、サービス提供装置１００は、動画コンテンツとともに動画サマリが配信され、利用回数が増加するほど、サービス提供装置１００のみならず、外部動画プラットフォームが得る収益を向上させることができる。このように、動画サマリを作成する環境を提供することで、サービス提供装置１００は、外部動画プラットフォームを含めた動画に係るサービス全体の活性化を図ることができる。
【０１１０】
〔５−３．動画コンテンツの提示〕
サービス提供装置１００に係るサービス提供部１３４は、提供するサービスにおいて、種々の方式により、配信する動画コンテンツを提示することができる。この点について、図１５及び図１６を用いて説明する。
【０１１１】
図１５は、変形例に係るサービス提供部１３４による処理の一例を説明する図（１）である。図１５では、ユーザ端末３０において、サービス提供部１３４が提供するサービスの画面が表示されている例を示している。図１５に示すように、サービス提供部１３４は、動画コンテンツに対応するサマリ数や、動画コンテンツの再生数や、アップされた日付などの情報を提示する。また、サービス提供部１３４は、図１５に示すように、再生数が多い順に上から動画コンテンツを提示する。これにより、ユーザは、人気の高い動画コンテンツを優先的に見つけることができる。
【０１１２】
ここで、サービス提供部１３４は、図１５に示すように、再生数が少ない動画コンテンツであっても、動画コンテンツに対応するサマリ数が多い動画コンテンツＣ２１を「おすすめ動画」として優先的に提示してもよい。すなわち、サービス提供部１３４は、動画サマリが多く作成される動画コンテンツＣ２１は、再生数は少なくとも、魅力のある動画コンテンツであるものとして、評価を高く設定することができる。このような提示は、単に動画コンテンツがコンテンツとして魅力あるものであるという理由の他に、例えば、サマリ作成者にとって多くの報酬をもたらす（例えば、報酬の設定が高い）動画コンテンツであることから、ユーザに奨めることを介してサマリ作成者のモチベーションを上げるという意図により行われてもよい。
【０１１３】
次に、図１６について説明する。図１６は、変形例に係るサービス提供部１３４による処理の一例を説明する図（２）である。図１６でも、図１５と同じく、ユーザ端末３０において、サービス提供部１３４が提供するサービスの画面が表示されている例を示している。
【０１１４】
ここで、図１６では、サービス提供部１３４は、対応する動画サマリが多い順に動画コンテンツを提示する例を示している。このように、サービス提供部１３４は、対応する動画サマリが多い順に動画コンテンツを提示することにより、再生数や動画コンテンツがアップされた日付とは異なる尺度で評価された動画コンテンツを優先的にユーザに提示することができる。
【０１１５】
また、サービス提供部１３４は、動画サマリ数や再生数が他と比べて少ない動画コンテンツであっても、例えば、広告料を多く受け付けることで、動画コンテンツの掲載順を上げるようにしてもよい。図１６に示す例において、動画コンテンツＣ２２は、動画サマリ数が「１」であるため、通常、「動画Ｃ」として提示されている動画コンテンツよりも下位に提示されるはずである。しかし、所定の広告料を受け付けることにより、サービス提供部１３４は、動画コンテンツＣ２２を「動画Ｃ」として提示されている動画コンテンツよりも上位に提示する。このように、サービス提供部１３４は、柔軟に動画コンテンツを提示する順を入れ替えたり、広告料に応じて掲載順を入れ替えたりすることで、サービス自体の収益を向上させることができる。かかる収益と掲載順の関係については、例えば、算出部１３８が収益額の収支との関係を学習すること等により最適化されてもよい。
【０１１６】
〔５−４．利用状況の取得〕
上述のように、取得部１３７は、利用状況として、動画コンテンツの利用回数や動画サマリの選択回数等を取得する例を示した。しかし、取得部１３７は、利用状況として、さらに異なる情報を取得してもよい。例えば、取得部１３７は、ユーザが動画コンテンツをどのくらいの時点まで視聴し、どの時点で動画コンテンツから離脱したのか、といった情報を取得してもよい。
【０１１７】
また、取得部１３７は、動画コンテンツが利用開始されたことを利用回数とするのみならず、動画コンテンツの視聴時間が所定の閾値を超えた場合に、利用回数を計数するようにしてもよい。すなわち、取得部１３７は、サービスの利用状況に関する情報として、必ずしも動画サマリや動画コンテンツが利用された回数に限られず、種々の情報を柔軟に取得するようにしてもよい。また、取得部１３７は、動画サマリや動画コンテンツが利用された回数とともに、動画サマリや動画コンテンツに伴い配信される広告コンテンツが視聴された回数について取得してもよい。動画サマリや動画コンテンツに伴い配信される広告コンテンツとは、例えば、動画配信サービスにおいて、動画サマリや動画コンテンツに埋め込まれる広告コンテンツのことである。また、取得部１３７は、広告コンテンツがユーザから視聴された時間を取得してもよい。そして、算出部１３８は、動画サマリ又は動画コンテンツが視聴された時間や、動画コンテンツもしくは動画サマリに伴い配信される広告コンテンツが視聴された回数や、動画コンテンツもしくは動画サマリに伴い配信される広告コンテンツが視聴された時間に基づいて、動画サマリを作成したサマリ作成者に分配する報酬を算出してもよい。このように、算出装置１００は、実施されるサービスの態様に合わせて、柔軟にサマリ作成者への報酬を算出することができる。なお、算出装置１００は、広告コンテンツが視聴された回数として、広告コンテンツの視聴が開始された回数を処理に用いてもよいし、広告コンテンツが最後まで視聴された回数（完遂された回数）を処理に用いてもよい。
【０１１８】
〔５−５．ウェブサーバ〕
上記実施形態では、サービス提供装置１００が動画配信サービスを提供するにあたり、所定のウェブページを提供する例を示した。しかし、サービス提供装置１００は、ウェブページの管理や配信に関しては、所定のウェブサーバ等に委ねてもよい。この場合、サービス提供装置１００に係る配信部１３５は、所定のウェブサーバに対して制御命令を送信することにより、ウェブページの配信等を行う。
【０１１９】
〔６．ハードウェア構成〕
上述してきた実施形態に係るサービス提供装置１００は、例えば図１７に示すような構成のコンピュータ１０００によって実現される。以下、サービス提供装置１００を例に挙げて説明する。図１７は、サービス提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２０】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１２１】
ＨＤＤ１４００は、ＣＰＵ１１００によって実行されるプログラム、及び、かかるプログラムによって使用されるデータ等を記憶する。通信インターフェイス１５００は、通信網５００（図３に示したネットワークＮに対応）を介して他の機器からデータを受信してＣＰＵ１１００へ送り、ＣＰＵ１１００が生成したデータを、通信網５００を介して他の機器へ送信する。
【０１２２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２３】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２４】
例えば、コンピュータ１０００が実施形態に係るサービス提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１２５】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示したＵＩ提供部１３２と、作成部１３３とは統合されてもよい。また、例えば、記憶部１２０に記憶される情報は、ネットワークＮを介して、外部に備えられたストレージサーバに記憶されてもよい。
【０１２７】
また、例えば、上記実施形態では、サービス提供装置１００が、動画コンテンツの投稿を受け付ける受付処理と、動画サマリを作成する作成処理と、サマリ作成者に報酬を分配する分配処理等を行う例を示した。しかし、上述したサービス提供装置１００は、各処理を行う装置として分離されてもよい。この場合、例えば、受付装置は、受付部１３１を有する。作成装置は、ＵＩ提供部１３２と、作成部１３３と、サービス提供部１３４とを有する。また、分配装置は、配信部１３５と、分配部１３６とを有する。この場合、上記のサービス提供装置１００による処理は、受付装置と、作成装置と、分配装置との各装置を含むサービス提供システム１によって実現される。
【０１２８】
また、上述してきた実施形態及び変形例は、処理内容を矛盾させない範囲で適宜組み合わせることが可能である。
【０１２９】
〔８．効果〕
上述してきたように、実施形態に係るサービス提供装置１００は、受付部１３１と、サービス提供部１３４と、算出部１３８とを有する。受付部１３１は、サービスで利用される動画コンテンツの登録を受け付ける。サービス提供部１３４は、受付部１３１によって受け付けられた動画コンテンツと、サマリ作成者（所定の作成者の一例）が当該動画コンテンツの構成を概略化した情報である動画サマリとを対応付けて配信するサービスを提供する。算出部１３８は、サービス提供部１３４によって提供されたサービスが利用された利用状況に関する情報に基づいて、動画サマリを作成したサマリ作成者に分配する報酬を算出する。
【０１３０】
このように、実施形態に係るサービス提供装置１００は、動画コンテンツの構成を概略化した情報である動画サマリを配信するサービスを提供するため、動画コンテンツの選択を行うユーザの利便性を高めることができる。そして、サービス提供装置１００は、利用状況に応じて、動画サマリを作成するサマリ作成者への報酬を算出することで、サマリ作成者の創作意欲を高めることができる。これにより、サービス提供装置１００が提供するサービスでは、良質な動画サマリが数多く創作され、サービス品質の向上が図られる。結果として、サービス提供装置１００は、動画に係るサービスの活性化を図ることができる。
【０１３１】
また、受付部１３１は、動画サマリを介して動画コンテンツが利用された際の報酬の設定を動画投稿者（動画コンテンツの提供者の一例）から受け付ける。算出部１３８は、動画サマリを介して動画コンテンツが利用された場合に、動画投稿者による報酬の設定に基づいて、当該動画サマリのサマリ作成者に分配する報酬を算出する。
【０１３２】
このように、実施形態に係るサービス提供装置１００は、動画投稿者の意向に沿った報酬がサマリ作成者に行き渡るよう、任意に報酬の設定を受け付けることができる。これにより、サービス提供装置１００は、動画コンテンツの再生回数を増やして広告収益を上げたい動画投稿者と、サマリ作成者との両者が満足するようなマネタイズ（monetize）の仕組みを提供することができる。
【０１３３】
また、算出部１３８は、サービスにおいて動画コンテンツが利用されることで生じるサービス提供側の収益に基づいて、動画サマリを作成したサマリ作成者に分配する報酬を算出する。
【０１３４】
このように、実施形態に係るサービス提供装置１００は、自身の得た収益に基づいてサマリ作成者への報酬を算出できる。かかる方式であれば、サマリ作成者は、動画投稿者が定めた報酬の設定によらず収益を確保できるため、自身が興味のある動画コンテンツのサマリ作成に積極的に取り組むことができる。これにより、サービス提供装置１００は、サマリ作成者の創作意欲を高めることができるので、サービスの活性化を図ることができる。
【０１３５】
また、実施形態に係るサービス提供装置１００は、サービス提供部１３４によって提供されるサービスにおいて、サマリ作成者が動画サマリを作成するためのユーザインターフェイス（ＵＩ）を提供するＵＩ提供部１３２をさらに有する。サービス提供部１３４は、ＵＩ提供部１３２によって提供されたＵＩを利用して作成された動画サマリを配信するサービスを提供する。
【０１３６】
このように、実施形態に係るサービス提供装置１００は、サマリ作成のためのＵＩを提供するサービスを展開する。これにより、サービス提供装置１００は、動画配信サービスを活用して収益を得ようとするサマリ作成者に対して、参入の障壁を下げることができる。具体的には、サマリ作成者は、スマートフォンのような作成端末１０を準備するだけで、動画サマリの作成を行うことができる。このように、サービス提供装置１００は、サービスに関わる者の裾野を広げることで、サービスの活性化を図ることができる。
【０１３７】
また、ＵＩ提供部１３２は、動画コンテンツにおける時系列上の範囲の指定を受け付けることで、当該動画コンテンツにおける任意の再生開始点を付与するとともに、時系列上の範囲における動画コンテンツを任意に説明する文言の指定を受け付けるＵＩを提供する。
【０１３８】
このように、実施形態に係るサービス提供装置１００は、ＵＩを介して、範囲やサマリ文言の設定を可能とする。これにより、サマリ作成者は、自身の意図に基づいて柔軟に内容を設定可能な動画サマリを作成することができる。また、サービス提供装置１００によれば、範囲ごとに説明を付与した動画サマリとともにユーザに動画コンテンツを利用させることができるため、ユーザの利便性の点などでサービス品質の向上を図ることができる。
【０１３９】
また、受付部１３１は、サービス提供部１３４によって提供されるサービスとは異なる外部サービス（例えば、外部動画プラットフォーム）で利用されている動画コンテンツのリンクの指定によって、当該動画コンテンツの登録を受け付ける。ＵＩ提供部１３２は、サマリ作成者が、リンクの指定によって特定される動画コンテンツに対応する動画サマリを作成するためのＵＩを提供する。
【０１４０】
このように、実施形態に係るサービス提供装置１００は、外部の動画配信プラットフォームを活用して、動画サマリとともに動画コンテンツを配信するサービスを提供してもよい。これにより、サービス提供装置１００は、複数の動画配信サービスに存在している多くの動画コンテンツに対応する動画サマリを作成することができるため、動画に係るサービス全体としての収益を向上させることができる。
【０１４１】
サービス提供部１３４は、動画コンテンツに対応する動画サマリが複数存在する場合に、サービスを利用するユーザが任意に動画サマリを選択可能なサービスを提供する。
【０１４２】
このように、実施形態に係るサービス提供装置１００は、動画コンテンツに対して、複数の動画サマリを作成することができる。これにより、サービス提供装置１００は、ユーザが好みにあった動画サマリを選択することができる等、ユーザビリティに優れたサービスを提供することができる。また、サービス提供装置１００は、サマリ作成者同士の競争を促すことで、サービスの活性化を図ることもできる。
【０１４３】
サービス提供部１３４は、動画コンテンツに対応する動画サマリが複数存在する場合に、動画サマリの個数に応じた順位に基づいて、当該動画コンテンツをユーザに提示するサービスを提供する。
【０１４４】
このように、実施形態に係るサービス提供装置１００は、動画サマリの数を一つの尺度として、ユーザに動画コンテンツを提示することができる。これにより、サービス提供装置１００は、サマリ作成者の観点から魅力のある動画コンテンツをユーザに提示したり、サービスにおいて収益を向上させる可能性の高い動画コンテンツを優先的に提示したりするなど、柔軟なサービスの提供を行うことができる。
【０１４５】
算出部１３８は、サービスにおいて、所定の動画サマリに対応する動画コンテンツがユーザから利用された回数、所定の動画サマリが選択された回数、動画コンテンツもしくは所定の動画サマリが視聴された時間、又は、動画コンテンツもしくは動画サマリに伴い配信される広告コンテンツが視聴された回数もしくは時間、の少なくとも一つに基づいて、当該所定の動画サマリを作成したサマリ作成者に分配する報酬を算出する。
【０１４６】
このように、実施形態に係るサービス提供装置１００は、サービスにおいて利用された回数等に基づいて、サマリ作成者への報酬を算出する。これにより、サービス提供装置１００は、より選択回数が増えるような、良質な動画サマリを創作させる意欲をサマリ作成者に抱かせることができる。結果として、サービス提供装置１００は、提供するサービスの品質を向上させることができる。
【０１４７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４８】
また、上述してきた「部（section、module、unit）」は、「手段」や「回路」などに読み替えることができる。例えば、取得部は、取得手段や取得回路に読み替えることができる。
【符号の説明】
【０１４９】
１  サービス提供システム
１０  作成端末
２０  投稿端末
３０  ユーザ端末
４０  広告主端末
１００  サービス提供装置
１２１  コンテンツ記憶部
１２２  サマリ記憶部
１２３  利用状況記憶部
１３０  制御部
１３１  受付部
１３２  ＵＩ提供部
１３３  作成部
１３４  サービス提供部
１３５  配信部
１３６  分配部
１３７  取得部
１３８  算出部
１３９  通知部
【図１】
0006552549.tif 000002
【図２】
0006552549.tif 000003
【図３】
0006552549.tif 000004
【図４】
0006552549.tif 000005
【図５】
0006552549.tif 000006
【図６】
0006552549.tif 000007
【図７】
0006552549.tif 000008
【図８】
0006552549.tif 000009
【図９】
0006552549.tif 000010
【図１０】
0006552549.tif 000011
【図１１】
0006552549.tif 000012
【図１２】
0006552549.tif 000013
【図１３】
0006552549.tif 000014
【図１４】
0006552549.tif 000015
【図１５】
0006552549.tif 000016
【図１６】
0006552549.tif 000017
【図１７】
0006552549.tif 000018